(57)【要約】【課題】患者情報とオーダ内容との取り違えを防止できる。【解決手段】医療端末は、カメラのフォーカスを制御してバーコード情報を自動的に検出して読み取るサーチモードを実行する。医療端末は、患者を識別する患者ＩＤの患者バーコードを読み取った場合に、次のバーコードを検出して読み取るサーチモードに自動的に遷移する。医療端末は、読取バーコードとして、患者に対するオーダ内容のオーダＩＤのオーダバーコードを読み取った場合に、オーダ基本ＤＢを参照して、読み取った該オーダバーコードのオーダＩＤが患者ＩＤに対応するか否かを判定する。【選択図】図１
2014149670.tif 000002
【特許請求の範囲】
【請求項１】
カメラのフォーカスを制御してバーコード情報を自動的に検出して読み取るサーチモードを実行し、患者を識別する患者識別情報に対応した第一のバーコードを読み取った場合に、第二のバーコードを検出して読み取るサーチモードに自動的に遷移する読取部と、
前記患者に対するオーダ内容の識別情報に対応した前記第二のバーコードを読み取った場合に、読み取った該第二のバーコードに対応した前記オーダ内容の識別情報が前記患者識別情報に対応するか否かを判定する判定部と
を有することを特徴とする判定装置。
【請求項２】
前記読取部は、
前記第二のバーコードを読み取る際、前記オーダ内容のタイプを示すバーコードとは異なるタイプを示すバーコード情報が検出されると、前記サーチモードを中断することを特徴とする請求項１に記載の判定装置。
【請求項３】
前記判定部は、
読み取った前記第一のバーコードの前記患者識別情報に対応する前記オーダ内容の識別情報を外部装置から取得し、取得された前記オーダ内容の識別情報に基づき、前記オーダ内容の識別情報が前記患者識別情報に対応するか否かを判定することを特徴とする請求項１又は２に記載の判定装置。
【請求項４】
前記第一のバーコードは、前記患者に身に付けられており、
前記第二のバーコードは、前記注射に取り付けられている
ことを特徴とする請求項１〜３の何れか一つに記載の判定装置。
【請求項５】
前記オーダ内容の識別情報は、
前記患者に対する注射の識別情報であることを特徴とする請求項１〜４の何れか一つに記載の判定装置。
【請求項６】
情報処理端末は、
カメラのフォーカスを制御してバーコード情報を自動的に検出して読み取るサーチモードにおいて、患者を識別する患者識別情報に対応した第一のバーコードを読み取った場合に、第二のバーコードを検出して読み取るサーチモードに自動的に遷移し、
前記患者に対するオーダ内容の識別情報に対応した前記第二のバーコードを読み取った場合に、読み取った該第二のバーコードに対応した前記オーダ内容の識別情報が前記患者識別情報に対応するか否かを判定する
各処理を実行することを特徴とする判定方法。
【請求項７】
カメラのフォーカスを制御してバーコード情報を自動的に検出して読み取るサーチモードを実行する情報処理端末に、
患者を識別する患者識別情報に対応した第一のバーコードを読み取った場合に、第二のバーコードを検出して読み取るサーチモードに自動的に遷移し、
前記患者に対するオーダ内容の識別情報に対応した前記第二のバーコードを読み取った場合に、読み取った該第二のバーコードに対応した前記オーダ内容の識別情報が前記患者識別情報に対応するか否かを判定する
各処理を実行させることを特徴とする判定プログラム。
【発明の詳細な説明】
【技術分野】
【０００１】
本発明は、判定装置、判定方法及び判定プログラムに関する。
【背景技術】
【０００２】
病院では、医療ミスの発生を防止するため、患者と、患者に対する治療内容とを確実に一致させる必要がある。従って、看護師は、医療端末を操作することで、患者情報と、その患者についての注射情報とを医療端末の表示画面上に表示させ、両者の対応関係を確認する。そして、看護師は、医療端末の表示画面上の患者情報及び注射情報を確認した後、患者への注射等の医療業務を実行できる。この際、医療端末としては、例えば、スキャナを用いて、患者に付帯したバーコードを読み取ることで患者本人を確認できる。尚、スキャナは、例えば、ボタン操作等の開始操作に応じてバーコードの読み取り動作を開始するものである。
【先行技術文献】
【特許文献】
【０００３】
【特許文献１】特開２００１−１５５０９８号公報
【特許文献２】特開２００２−２６９２２９号公報
【発明の概要】
【発明が解決しようとする課題】
【０００４】
しかしながら、看護師が、医療端末の表示画面上の患者情報及び注射情報の内容を確認することになるが、これらの患者情報及び注射情報の内容を見間違えると、患者に対応した注射の取り違えが生じる。そこで、医療端末では、患者情報及び注射情報の対応関係を確実にすることで、その取り違えを防止することが求められている。
【０００５】
一つの側面では、患者情報とオーダ内容との取り違えを防止できる判定装置、判定方法及び判定プログラムを提供することを目的とする。
【課題を解決するための手段】
【０００６】
一つの案の判定装置では、カメラのフォーカスを制御してバーコード情報を自動的に検出して読み取るサーチモードを実行し、患者を識別する患者識別情報に対応した第一のバーコードを読み取った場合に、第二のバーコードを検出して読み取るサーチモードに自動的に遷移する読取部を有する。更に、判定装置は、前記患者に対するオーダ内容の識別情報に対応した前記第二のバーコードを読み取った場合に、読み取った該第二のバーコードに対応した前記オーダ内容の識別情報が前記患者識別情報に対応するか否かを判定する判定部を有する。
【発明の効果】
【０００７】
開示の態様では、患者情報とオーダ内容との取り違えを防止できる。
【図面の簡単な説明】
【０００８】
【図１】図１は、本実施例の医療業務支援システムの一例を示すブロック図である。
【図２】図２は、利用者ＤＢの一例を示す説明図である。
【図３】図３は、患者ＤＢの一例を示す説明図である。
【図４】図４は、オーダ基本ＤＢの一例を示す説明図である。
【図５】図５は、オーダ詳細ＤＢの一例を示す説明図である。
【図６】図６は、オーダ実施ＤＢの一例を示す説明図である。
【図７】図７は、医療端末側の各種画面の遷移の一例を示す説明図である。
【図８】図８は、医療端末側の各種画面の遷移の一例を示す説明図である。
【図９】図９は、注射認証処理に関わる医療業務支援システムの処理動作の一例を示すフローチャートである。
【図１０】図１０は、注射認証処理に関わる医療業務支援システムの処理動作の一例を示すフローチャートである。
【図１１】図１１は、注射認証処理に関わる医療業務支援システムの処理動作の一例を示すフローチャートである。
【発明を実施するための形態】
【０００９】
以下、図面に基づいて、本願の開示する判定装置、判定方法及び判定プログラムの実施例を詳細に説明する。尚、本実施例により、開示技術が限定されるものではない。また、以下に示す各実施例は、矛盾を起こさない範囲で適宜組み合わせても良い。
【実施例】
【００１０】
図１は、本実施例の医療業務支援システムの一例を示すブロック図である。図１に示す医療業務支援システム１は、医療端末２と、端末サーバ３と、ＤＢ（Data  Base）サーバ４とを有する。
【００１１】
医療端末２は、例えば、看護師等の利用者が携帯するスマートフォン等の携帯端末である。医療端末２は、通信部１１と、カメラ部１２と、操作部１３と、表示部１４と、記憶部１５と、端末制御部１６とを有する。通信部１１は、例えば、無線通信を司る通信インタフェースである。カメラ部１２は、被写体を撮像するものであって、例えば、カメラのフォーカスを駆動制御して、例えば、被写体のバーコードを検出して読み取る機能を有する読取部である。操作部１３は、例えば、コマンドや文字等の各種情報を入力する入力インタフェースである。表示部１４は、各種情報を画面表示する出力インタフェースである。記憶部１５には、各種情報が記憶されている。端末制御部１６は、医療端末２全体を制御する、例えば、判定部である。
【００１２】
端末サーバ３は、医療端末２と無線接続して通信すると共に、ＤＢサーバ４と有線接続して通信する。端末サーバ３は、通信インタフェース２１と、通信インタフェース２２と、記憶部２３と、サーバ制御部２４とを有する。通信インタフェース２１は、医療端末２との無線通信を司る無線通信インタフェースである。通信インタフェース２２は、ＤＢサーバ４とのＬＡＮ（Local  Area  Network）通信を司るＬＡＮ通信インタフェースである。記憶部２３には、各種情報が記憶されている。サーバ制御部２４は、端末サーバ３全体を制御する。サーバ制御部２４は、画面提供部２４Ａと、認証部２４Ｂとを有する。尚、画面提供部２４Ａ及び認証部２４Ｂは、記憶部２３に記憶された図示せぬ画面提供プログラム及び認証プログラムを読み出して、読み出された画面提供プログラム及び認証プログラムに基づきサーバ制御部２４内のプロセスとして実行するものである。画面提供部２４Ａは、医療端末２に対して各種Ｗｅｂ画面を提供する。認証部２４Ｂは、医療端末２からの要求に応じて、例えば、利用者ログイン認証、利用者バーコード認証、患者バーコード認証やオーダバーコード認証を実行し、各種認証結果を得るものである。また、端末制御部１６及びサーバ制御部２４等は、例えば、判定部である。
【００１３】
利用者ログイン認証は、医療端末２の利用者ＩＤ及びパスワードの入力操作に応じて、予め設定された利用者ＩＤ及びパスワードと照合し、照合結果に基づき利用者のログインを認証する処理である。尚、ＤＢサーバ４は、ログインに必要な利用者ＩＤ及びパスワードを管理しているものとする。
【００１４】
利用者バーコード認証は、例えば、利用者が携帯するカードに付した利用者バーコードを読み取って利用者バーコード内の利用者ＩＤと後述する電子カルテＤＢ３２内の利用者ＩＤとを照合し、照合結果に基づき利用者本人を認証する処理である。
【００１５】
患者バーコード認証は、例えば、患者の腕輪に付した患者バーコードを読み取って患者バーコード内の患者ＩＤと後述する電子カルテＤＢ３２内の患者ＩＤとを照合し、照合結果に基づき患者本人を認証する処理である。
【００１６】
オーダバーコード認証は、例えば、点滴や注射器等に付したオーダバーコードを読み取ってオーダバーコード内のオーダＩＤと後述する電子カルテＤＢ３２内のオーダＩＤとを照合し、照合結果に基づきオーダを認証する処理である。
【００１７】
ＤＢサーバ４は、通信インタフェース３１と、電子カルテＤＢ３２と、記憶部３３と、ＤＢ制御部３４とを有する。通信インタフェース３１は、端末サーバ３との間のＬＡＮ通信を司るＬＡＮ通信インタフェースである。電子カルテＤＢ３２は、利用者ＤＢ４１と、患者ＤＢ４２と、オーダ基本ＤＢ４３と、オーダ詳細ＤＢ４４と、オーダ実施ＤＢ４５とを有する。ＤＢ制御部３４は、検索部３４Ａを有する。検索部３４Ａは、端末サーバ３からの認証要求に応じて電子カルテＤＢ３２を検索し、その検索結果を端末サーバ３に通知する。
【００１８】
図２は、利用者ＤＢ４１の一例を示す説明図である。図２に示す利用者ＤＢ４１は、利用者ＩＤ４１Ａと、利用者権限４１Ｂとを対応付けて利用者情報を管理している。利用者ＩＤ４１Ａは、例えば、看護師等の利用者を識別する識別子である。利用者権限４１Ｂは、利用者の使用権限を識別する識別子である。尚、利用者権限４１Ｂは、例えば、“０”及び“１”の２種類とし、“１”の場合は治療を実施できる権限を有する者、“０”の場合は治療を実施できる権限を有しない者とする。
【００１９】
図３は、患者ＤＢ４２の一例を示す説明図である。図３に示す患者ＤＢ４２は、患者ＩＤ４２Ａと、氏名４２Ｂと、生年月日４２Ｃと、性別４２Ｄとを対応付けて患者情報を管理している。患者ＩＤ４２Ａは、患者を識別する識別子である。氏名４２Ｂは、患者の氏名を示すものである。生年月日４２Ｃは、患者の生年月日を示すものである。性別４２Ｄは、患者の性別を示すものである。例えば、性別４２Ｄが“０”の場合、女性を示し、性別４２Ｄが“１”の場合、男性を示すものである。
【００２０】
図４は、基本オーダＤＢ４３の一例を示す説明図である。図４に示す基本オーダＤＢ４３は、オーダＩＤ４３Ａと、患者ＩＤ４３Ｂと、依頼医４３Ｃと、実施日４３Ｄとを対応付けてオーダ情報を管理している。オーダＩＤ４３Ａは、例えば、注射等のオーダを識別する識別子である。患者ＩＤ４３Ｂは、オーダを受ける患者を識別する識別子である。依頼医４３Ｃは、同オーダを指示した医師の氏名を示すものである。実施日４３Ｄは、同オーダの実施予定日を示すものである。
【００２１】
図５は、詳細オーダＤＢ４４の一例を示す説明図である。図５に示す詳細オーダＤＢ４４は、オーダＩＤ４４Ａと、患者ＩＤ４４Ｂと、オーダ内容４４Ｃとを対応付けてオーダ詳細情報を管理している。オーダＩＤ４４Ａは、オーダを識別する識別子である。患者ＩＤ４４Ｂは、オーダを受けた患者を識別する識別子である。オーダ内容４４Ｃは、オーダ内容である薬品名や手技内容等の各種情報を示すものである。
【００２２】
図６は、オーダ実施ＤＢ４５の一例を示す説明図である。図６に示すオーダ実施ＤＢ４５は、患者ＩＤ４５Ａと、オーダＩＤ４５Ｂ、利用者ＩＤ４５Ｃと、依頼医４５Ｄと、オーダ実施日時４５Ｅとを対応付けてオーダ実施情報を管理している。患者ＩＤ４５Ａは、実施オーダを受けた患者を識別する識別子である。オーダＩＤ４５Ｂは、実施オーダを識別する識別子である。利用者ＩＤ４５Ｃは、実施オーダを実施した看護師等の利用者を識別する識別子である。依頼医４５Ｄは、実施オーダを依頼した医者を識別する氏名である。オーダ実施日時４５Ｅは、例えば、実施オーダの実施日時を示すものである。
【００２３】
図７は、医療端末２側の各種画面の遷移の一例を示す説明図である。図７の（Ａ）に示す画面は、ログイン画面５１である。ログイン画面５１は、利用者ＩＤ入力欄５１Ａと、パスワード入力欄５１Ｂと、ログインボタン５１Ｃと、バーコードログイン５１Ｄとを有する。利用者ＩＤ入力欄５１Ａは、ログインに必要な利用者ＩＤを入力する入力欄である。パスワード入力欄５１Ｂは、ログインに必要なパスワードを入力する入力欄である。ログインボタン５１Ｃは、ログインを要求するボタンである。バーコードログインボタン５１Ｄは、利用者ＩＤ及びパスワード入力の代わりに、利用者バーコードの読み取りで利用者バーコード内の利用者ＩＤを用いてのログインを要求するボタンである。
【００２４】
図７の（Ｂ）に示す画面は、メニュー画面５２である。メニュー画面５２は、注射認証実施等の各種メニューを指定するメニューボタン５２Ａの他に、ログアウトボタン５２Ｂを有する。メニューボタン５２Ａは、各種メニューの実行を要求するボタンである。ログアウトボタン５２Ｂは、ログアウトを要求するボタンである。
【００２５】
図７の（Ｃ）に示す画面は、利用者バーコード認証画面５３である。利用者バーコード認証画面５３は、「利用者バーコードを読み取ってください。」等のメッセージ５３Ａと、読み取りバーコードを表示する表示領域５３Ｂとを有する。
【００２６】
図７の（Ｄ）に示す画面は、患者バーコード認証画面５４である。患者バーコード認証画面５４は、「患者バーコードを読み取ってください。」等のメッセージ５４Ａと、読み取りバーコードを表示する表示領域５４Ｂとを有する。
【００２７】
図７の（Ｅ）に示す画面は、オーダバーコード認証画面５５である。オーダバーコード認証画面５５は、「オーダバーコードを読み取ってください。」等のメッセージ５５Ａと、読み取りバーコードを表示する表示領域５５Ｂとを有する。
【００２８】
図７の（Ｆ）に示す画面は、オーダ詳細画面５６である。オーダ詳細画面５６は、メッセージ５６Ａと、認証ＯＫマーク５６Ｂと、オーダ内容表示５６Ｃと、実施ボタン５６Ｄと、クリアボタン５６Ｅとを有する。メッセージ５６Ａは、オーダ状態に対応したメッセージである。認証ＯＫマーク５６Ｂは、認証ＯＫを示すマークである。オーダ内容表示５６Ｃは、オーダ内容の詳細を示すものである。オーダ内容の詳細は、例えば、薬品Ａ、薬品Ｂ、注射等である。実施ボタン５６Ｄは、オーダ実施の完了を報告するボタンである。クリアボタン５６Ｅは、患者バーコード認証画面５４に復帰するボタンである。
【００２９】
図７の（Ｇ）に示す画面は、オーダ実施画面５７である。オーダ実施画面５７は、メッセージ５７Ａと、認証ＯＫマーク５７Ｂと、オーダ内容表示５７Ｃと、クリアボタン５７Ｄとを有する。メッセージ５７Ａは、オーダ状態に対応したメッセージである。認証ＯＫマーク５７Ｂは、認証ＯＫを示すマークである。オーダ内容表示５７Ｃは、オーダ内容の詳細内容を示すものである。クリアボタン５７Ｃは、患者バーコード認証画面５４に復帰するボタンである。
【００３０】
図８は、医療端末２側のエラー画面の一例を示す説明図である。図８の（Ａ）に示す画面は、例えば、オーダバーコード認証画面５５である。図８の（Ｂ）に示す画面は、例えば、オーダバーコード認証に失敗した場合のエラー画面６１である。エラー画面６１は、認証ＮＧマーク６１Ａを有する。認証ＮＧマーク６１Ａは、オーダバーコード認証時の認証失敗を示すマークである。図８の（Ｃ）に示す画面は、例えば、オーダバーコード認証時の読取バーコードのタイプが異なる場合のエラー画面６２である。エラー画面６２は、エラーメッセージ６２Ａを有する。エラーメッセージ６２Ａは、タイプ照合失敗を示すメッセージである。
【００３１】
医療端末２は、利用者ログイン認証後の利用者バーコード認証、患者バーコード認証及びオーダバーコード認証を、カメラ部１２を用いたバーコード読取動作を実行するサーチモードに移行する。また、医療端末２は、利用者バーコード認証、患者バーコード認証又はオーダバーコード認証で認証ＮＧが生じた場合、サーチモードを中断する。また、医療端末２は、例えば、オーダバーコード認証時に、読取バーコードがオーダバーコードではなく、そのタイプが異なる場合にも、サーチモードを中断する。尚、バーコードのタイプは、例えば、利用者バーコード、患者バーコード及びオーダバーコード等の種類がある。
【００３２】
次に本実施例の医療業務支援システム１の動作について説明する。図９乃至図１１は、注射認証処理に関わる医療業務支援システム１の処理動作の一例を示すフローチャートである。注射認証処理は、看護師が患者にオーダ、例えば、注射を実行する際に、看護師等の利用者が携帯する医療端末２を用いて利用者、患者及びオーダ内容を認証することで患者やオーダ内容の取り違えを抑制する処理である。
【００３３】
看護師が患者に対して注射等のオーダを実行する際、看護師は、医療端末２の医療アプリを起動する操作を実行する。医療端末２の端末制御部１６は、利用者の医療アプリ起動操作が検出されると、医療アプリ起動要求を端末サーバ３に通知する（ステップＳ１１）。端末サーバ３のサーバ制御部２４は、医療アプリ起動要求が検出されると、ログイン画面を医療端末２に提供する（ステップＳ１２）。医療端末２の端末制御部１６は、端末サーバ３からのログイン画面の提供に応じて、図７の（Ａ）に示すログイン画面５１を表示部１４に画面表示する（ステップＳ１３）。端末制御部１６は、ログイン画面５１上で利用者ＩＤ及びパスワード入力のログイン操作が検出されると（ステップＳ１４）、利用者ＩＤ及びパスワードを端末サーバ３に通知する（ステップＳ１５）。
【００３４】
端末サーバ３のサーバ制御部２４は、利用者ＩＤ及びパスワードが検出されると、利用者ＩＤ及びパスワードを用いて利用者ログイン検索をＤＢサーバ４に要求する（ステップＳ１６）。ＤＢサーバ４は、図示せぬログインＤＢを参照して利用者ＩＤ及びパスワードが合致した利用者であるか否かの利用者ログイン検索結果を端末サーバ３に通知する（ステップＳ１７）。端末サーバ３のサーバ制御部２４は、利用者ログイン検索結果に基づき、利用者ＩＤ及びパスワードが合致、すなわちログイン認証ＯＫと判定した場合、メニュー画面を医療端末２に提供する（ステップＳ１８）。また、サーバ制御部２４は、利用者ログイン検索結果に基づき、利用者ＩＤ及びパスワードが不一致、すなわちログイン認証ＮＧと判定した場合、エラー画面を医療端末２に提供する（ステップＳ１８）。その結果、利用者は、医療端末２のエラー画面を視認してログイン失敗を認識できる。
【００３５】
サーバ制御部２４は、ログイン認証ＯＫと判定した場合、メニュー画面を医療端末２に提供する（ステップＳ１９）。医療端末２の端末制御部１６は、端末サーバ３からのメニュー画面の提供に応じて、図７の（Ｂ）に示すメニュー画面５２を表示部１５に画面表示する（ステップＳ２０）。端末制御部１６は、メニュー画面５２上のオーダ認証要求のメニュー選択が検出されると（ステップＳ２１）、オーダ認証要求を端末サーバ３に通知する（ステップＳ２２）。
【００３６】
端末サーバ３のサーバ制御部２４は、オーダ認証要求が検出されると、利用者バーコード読取要求を医療端末２に通知する（ステップＳ２３）。医療端末２の端末制御部１６は、利用者バーコード読取要求が検出されると、カメラ部１２を起動し（ステップＳ２４）、図７の（Ｃ）に示す利用者バーコード認証画面５３を表示部１４に画面表示する（ステップＳ２５）。尚、医療端末２の端末制御部１６は、利用者バーコード認証画面５３を画面表示中の場合、カメラ部１２を用いて、利用者携帯のカードに付した利用者バーコードの読取動作の待ち受け状態のサーチモードに移行する。
【００３７】
図１０において医療端末２の端末制御部１６は、カメラ部１２を用いて利用者バーコードの読取動作が開始されると（ステップＳ３１）、読み取られた利用者バーコード情報を端末サーバ３に送信する（ステップＳ３２）。端末サーバ３のサーバ制御部２４は、利用者バーコード情報内の利用者ＩＤを用いて利用者ＤＢ４１内の利用者情報の検索を要求する（ステップＳ３３）。ＤＢサーバ４のＤＢ制御部３４は、利用者情報検索要求に応じて、利用者ＩＤを用いて利用者情報を検索し、利用者情報の検索結果を端末サーバ３に通知する（ステップＳ３４）。
【００３８】
端末サーバ３のサーバ制御部２４は、利用者情報の検索結果に基づき利用者情報を認証する（ステップＳ３５）。サーバ制御部２４は、利用者情報の検索結果に基づき、利用者情報が検索された場合、すなわち、利用者情報の認証ＯＫと判定し、患者バーコード読取要求を医療端末２に通知する。また、サーバ制御部２４は、利用者情報の検索結果に基づき、利用者情報が検索されなかった場合、すなわち、利用者情報の認証ＮＧと判定し、利用者認証のエラー画面を医療端末２に提供する。その結果、利用者は、医療端末２のエラー画面を視認して利用者情報の認証ＮＧを認識できる。尚、サーバ制御部２４は、ステップＳ３２にて利用者バーコード情報を端末サーバ３に送信した後、利用者情報の認証結果を得るまで、医療端末２からの利用者情報の受信を無効にしても良い。
【００３９】
端末サーバ３のサーバ制御部２４は、利用者情報の認証ＯＫと判定された場合、患者バーコード読取要求を医療端末２に通知する（ステップＳ３６）。医療端末２の端末制御部１６は、患者バーコード読取要求が検出されると、図７の（Ｄ）に示す患者バーコード認証画面５４を表示部１４に画面表示する（ステップＳ３７）。尚、医療端末２の端末制御部１６は、患者バーコード認証画面５４を画面表示中の場合、カメラ部１２を用いて、患者携帯の腕輪に付した患者バーコードの読取動作が待ち受け状態のサーチモードに自動的に遷移する。
【００４０】
医療端末２の端末制御部１６は、カメラ部１２を用いて患者バーコードの読取動作が開始されると（ステップＳ３８）、読み取られた患者バーコード情報を端末サーバ３に送信する（ステップＳ３９）。端末サーバ３のサーバ制御部２４は、患者バーコード情報内の患者ＩＤを用いて患者ＤＢ４２内の患者情報の検索を要求する（ステップＳ４０）。ＤＢサーバ４のＤＢ制御部３４は、患者情報検索要求に応じて、患者ＩＤを用いて患者情報を検索し、患者情報の検索結果を端末サーバ３に通知する（ステップＳ４１）。
【００４１】
端末サーバ３のサーバ制御部２４は、患者情報の検索結果に基づき患者情報を認証する（ステップＳ４２）。サーバ制御部２４は、患者情報の検索結果に基づき、患者情報が検索された場合、すなわち、患者情報の認証ＯＫと判定し、オーダバーコード読取要求を医療端末２に通知する。また、サーバ制御部２４は、患者情報の検索結果に基づき、患者情報が検索されなかった場合、すなわち、患者情報の認証ＮＧと判定し、患者認証のエラー画面を医療端末２に提供する。その結果、利用者は、医療端末２のエラー画面を視認して利用者情報の認証ＮＧを認識できる。尚、サーバ制御部２４は、ステップＳ３９にて患者バーコード情報を端末サーバ３に送信した後、患者情報の認証結果を得るまで、医療端末２からの利用者情報の受信を無効にしても良い。
【００４２】
端末サーバ３のサーバ制御部２４は、患者情報の認証ＯＫと判定された場合、オーダバーコード読取要求を医療端末２に通知する（ステップＳ４３）。医療端末２の端末制御部１６は、オーダバーコード読取要求が検出されると、オーダバーコード認証画面５５を表示部１４に画面表示する（ステップＳ４４）。尚、医療端末２の端末制御部１６は、オーダバーコード認証画面５５を画面表示中の場合、カメラ部１２を用いて、例えば、点滴や注射等に付したオーダバーコードの読取動作が待ち受け状態のサーチモードに自動的に遷移する。
【００４３】
医療端末２の端末制御部１６は、カメラ部１２を用いてバーコードが読み取られると（ステップＳ４５）、読み取られたバーコードのタイプを照合する（ステップＳ４６）。尚、バーコードのタイプは、例えば、利用者バーコード、患者バーコードやオーダバーコード等の複数種類ある。
【００４４】
医療端末２の端末制御部１６は、読み取られたバーコードのタイプの照合結果に基づき、バーコードのタイプがオーダバーコードでない場合、オーダバーコード認証画面５５上に、エラー画面をポップアップ表示する（ステップＳ５１）。その結果、看護師は、医療端末２を用いたバーコードの読取動作が中断するため、患者とオーダとが異なるため、患者とオーダとの取り違えを認識できる。
【００４５】
また、医療端末２の端末制御部１６は、読み取られたバーコードのタイプがオーダバーコードの場合（ステップＳ５２）、読み取られたバーコード情報であるオーダバーコード情報を端末サーバ３に送信する（ステップＳ５３）。端末サーバ３のサーバ制御部２４は、オーダバーコード情報内のオーダＩＤを用いてオーダ基本ＤＢ４３内のオーダ情報の検索を要求する（ステップＳ５４）。ＤＢサーバ４のＤＢ制御部３４は、オーダ情報検索要求に応じて、オーダＩＤを用いてオーダ情報を検索し、オーダ情報の検索結果が端末サーバ３に通知する（ステップＳ５５）。
【００４６】
端末サーバ３のサーバ制御部２４は、オーダ情報の検索結果に基づき、オーダ情報を認証する（ステップＳ５６）。サーバ制御部２４は、オーダ情報の検索結果に基づき、オーダ情報が検索された場合、すなわち、オーダ情報の認証ＯＫと判定し、図７の（Ｆ）に示すオーダ詳細画面５６を医療端末２に提供する。また、サーバ制御部２４は、オーダ情報の検索結果に基づき、オーダ情報が検索されなかった場合、すなわち、オーダ情報の認証ＮＧと判定し、図８に示すオーダ認証のエラー画面６１を医療端末３に提供する。その結果、利用者は、医療端末２のエラー画面６１を視認してオーダ情報の認証ＮＧを認識できる。尚、サーバ制御部２４は、ステップＳ５３にてオーダバーコード情報を端末サーバ３に送信した後、オーダ情報の認証結果を得るまで、医療端末２からのオーダバーコード情報の受信を無効にしても良い。
【００４７】
端末サーバ３のサーバ制御部２４は、オーダ情報の認証ＯＫと判定された場合、オーダ詳細画面５６を医療端末２に提供する（ステップＳ５７）。医療端末２の端末制御部１６は、オーダ詳細画面の提供に応じて、オーダ詳細画面５６を表示部１４に画面表示する（ステップＳ５８）。医療端末２の端末制御部１６は、オーダ詳細画面５６を表示部１４に画面表示した後、カメラ部１２を停止する（ステップＳ５９）。更に、医療端末２の端末制御部１６は、オーダ詳細画面５６上の実施ボタン５６Ｄのボタン操作が検出されると（ステップＳ６０）、オーダ実施情報を端末サーバ３に通知する（ステップＳ６１）。尚、オーダ実施情報は、オーダの実施を受けた患者の患者ＩＤ、オーダのオーダＩＤ、オーダを実施した看護師の利用者ＩＤ、オーダを指示した依頼医及びオーダ実施した日時等を含むものである。更に、端末サーバ３のサーバ制御部２４は、オーダ実施情報が検出されると、オーダ実施情報をＤＢサーバ４に通知する（ステップＳ６２）。
【００４８】
ＤＢサーバ４のＤＢ制御部３４は、オーダ実施情報が検出されると、オーダ実施ＤＢ４５内にオーダ実施情報を登録し（ステップＳ６３）、この処理動作を終了する。その結果、医療業務支援システム１では、オーダ実施ＤＢ４５を参照してオーダ実施情報を認識できる。また、医療端末２の端末制御部１６は、ステップＳ６１にてオーダ実施情報を端末サーバ３に送信した後、図７の（Ｇ）に示すオーダ実施画面５７を表示部１４に画面表示する（ステップＳ６４）。
【００４９】
実施例の医療業務支援システム１は、看護師が患者に対してオーダを実施する際、医療端末２のカメラ部１２を用いて看護師の利用者バーコードを読み取り、読み取られた利用者バーコード情報内の利用者ＩＤを用いて利用者ＤＢ４１を検索する。医療業務支援システム１は、利用者ＩＤの検索結果に基づき、利用者認証がＯＫの場合、次の患者バーコードを読取可能な待ち受け状態のサーチモードに移行する。その結果、医療支援業務システム１は、正当な看護師本人を認証し、ボタン操作を要することなく、次の患者バーコードが読取可能な待ち受け状態のサーチモードに自動的に遷移できる。
【００５０】
更に、医療業務支援システム１は、患者バーコードが読取可能なサーチモードに移行した後、医療端末２のカメラ部１２を用いて患者の患者バーコードを読み取り、読み取られた患者バーコード情報内の患者ＩＤを用いて患者ＤＢ４２を検索する。医療業務支援システム１は、患者ＩＤの検索結果に基づき、患者認証がＯＫの場合、次のオーダバーコードを読取可能な待ち受け状態のサーチモードに移行する。その結果、医療支援業務システム１は、利用者がオーダ実施予定の患者本人を認証し、ボタン操作を要することなく、次のオーダバーコードが読取可能な待ち受け状態のサーチモードに自動的に遷移できる。
【００５１】
更に、医療業務支援システム１は、医療端末２のカメラ部１２を用いて注射等に付したオーダバーコードを読み取り、読み取られたオーダバーコード情報内のオーダＩＤを用いてオーダ基本ＤＢ４３を検索する。医療業務支援システム１は、オーダＩＤの検索結果に基づき、オーダ認証がＯＫの場合、オーダ詳細画面５６を医療端末２に画面表示する。その結果、医療業務支援システム１は、利用者がオーダ実施予定の患者に対するオーダ内容を認証できる。医療業務支援システム１は、看護師、患者及びオーダ内容の取り違えを防止できる。
【００５２】
更に、医療業務支援システム１は、利用者バーコードを用いた利用者ＩＤの利用者認証がＮＧの場合、医療端末２の表示画面上にエラー画面を表示する。その結果、利用者は、エラー画面を視認して、患者に対してオーダを実施する正当な看護師、例えば、実施権限がないことを認識できる。しかも、医療業務支援システム１は、医療端末２の利用者認証ＮＧのエラー画面を表示することで、次の患者認証への遷移を中断する。
【００５３】
医療業務支援システム１は、患者バーコードを用いた患者ＩＤの患者認証がＮＧの場合、医療端末２の表示画面上にエラー画面を表示する。その結果、利用者は、エラー画面を視認して、自分が担当するオーダ実施予定の患者でないことを認識できる。しかも、医療業務支援システム１は、医療端末２の患者認証ＮＧのエラー画面を表示することで、次のオーダ認証への遷移を中断する。
【００５４】
医療業務支援システム１は、オーダバーコードを用いたオーダＩＤのオーダ認証がＮＧの場合、医療端末２の表示画面上にエラー画面６１を表示する。その結果、利用者は、エラー画面を視認して、オーダ実施予定の患者に対するオーダでないことを認識できる。しかも、医療業務支援システム１は、医療端末２のオーダ認証ＮＧのエラー画面を表示することで、次の遷移を中断する。
【００５５】
医療業務支援システム１は、オーダバーコード認証において読取バーコードのタイプが異なる場合、すなわち、読取バーコードがオーダバーコードでない場合、医療端末２の表示画面上にタイプが異なる旨のエラー画面６２を表示し、現在のサーチモードを中断する。その結果、利用者は、エラー画面を視認して読取バーコードのタイプが異なることは勿論のこと、サーチモードの中断に応じて注射作業を中断することで、患者とオーダとの取り違えを防止できる。
【００５６】
従って、利用者は、例えば、ログイン認証、利用者バーコード認証、患者バーコード認証及びオーダバーコード認証の何れか一つでも認証ＮＧの場合にはエラー画面が表示されてサーチモードが中断されるため、患者とオーダとの取り違えを防止できる。
【００５７】
尚、上記実施例では、利用者ログイン認証、利用者バーコード認証、患者バーコード認証及びオーダバーコード認証で認証ＮＧやタイプエラーが生じた場合、エラー画面等を医療端末２に画面表示するようにした。しかしながら、これらに限定されるものではなく、例えば、医療端末２内部の図示せぬバイブレーション機能やランプ点滅機能で認証エラーやタイプエラー等を報知しても良い。
【００５８】
また、上記実施例では、例えば、看護師が特定の患者に対して特定のオーダ内容を実施し、特定のオーダ内容として注射等を例示したが、これらに限定されるものではなく、例えば、薬の処方や治療方法等でも良い。
【００５９】
また、上記実施例の医療端末２は、オーダバーコード認証時に読取バーコードのタイプがオーダバーコードであるか否かのタイプ照合を実行した。しかしながら、医療端末２は、利用者認証時での読取バーコードのタイプが利用者バーコードであるか否かのタイプ照合や、患者認証時での読取バーコードのタイプが患者バーコードであるか否かのタイプ照合を実行しても良い。
【００６０】
また、上記実施例の医療業務支援システム１では、端末サーバ３がＤＢサーバ４に利用者認証、患者認証及びオーダ認証等に関わる検索を要求し、検索結果に基づき認証処理を実行し、その認証結果を医療端末２に報知した。しかしながら、医療端末２がＤＢサーバ４に直接アクセスし、利用者認証、患者認証及びオーダ認証等に関わる検索を要求し、検索結果に基づき認証処理を実行するようにしても良い。
【００６１】
また、上記実施例の医療業務支援システム１では、医療端末２のカメラ部１２を用いてバーコードを読み取るようにしたが、例えば、ＱＲコード（登録商標）等であっても良い。
【００６２】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【符号の説明】
【００６３】
１  医療業務支援システム
２  医療端末
３  端末サーバ
４  ＤＢサーバ
１２  カメラ部
１４  表示部
１６  端末制御部
２４  サーバ制御部
２４Ａ  画面提供部
２４Ｂ  認証部
３２  電子カルテＤＢ
３４  ＤＢ制御部
３４Ａ  検索部
【図１】
2014149670.tif 000003
【図２】
2014149670.tif 000004
【図３】
2014149670.tif 000005
【図４】
2014149670.tif 000006
【図５】
2014149670.tif 000007
【図６】
2014149670.tif 000008
【図７】
2014149670.tif 000009
【図８】
2014149670.tif 000010
【図９】
2014149670.tif 000011
【図１０】
2014149670.tif 000012
【図１１】
2014149670.tif 000013